(57)【要約】【課題】被覆型処分場において、焼却灰を含む廃棄物から有害物質を簡易かつ有効に除去する。【解決手段】散水施設２は、焼却灰を含む廃棄物が搬入されて埋め立てられる、複数の区画に分割される埋立て領域を覆っている屋根部２２と、複数の区画の各々に独立して散水可能な散水部２４と、を備え、散水部２４は、複数の区画のうちの一の区画に搬入された廃棄物に集中散水して、廃棄物中の有害物質を溶出させる。【選択図】図５
2016159273.tif 000002
【特許請求の範囲】
【請求項１】
焼却灰を含む廃棄物が搬入されて埋め立てられる、複数の区画に分割される埋立て領域を覆っている屋根部と、
前記複数の区画の各々に独立して散水可能な散水部と、
を備え、
前記散水部は、前記複数の区画のうちの一の区画に搬入された前記廃棄物に集中散水して、前記廃棄物中の有害物質を溶出させる廃棄物処理設備。
【請求項２】
前記散水部は、前記屋根部に設けられている、
請求項１に記載の廃棄物処理設備。
【請求項３】
前記散水部は、前記区画毎に複数設けられており、
前記複数の散水部のうちの前記一の区画に対応する散水部が、前記一の区画に搬入された前記廃棄物に集中散水する、
請求項２に記載の廃棄物処理設備。
【請求項４】
前記散水部は、
前記屋根部に移動可能に設けられており、
前記一の区画に対応する位置に移動して、前記一の区画に搬入された前記廃棄物に集中散水する、
請求項２に記載の廃棄物処理設備。
【請求項５】
前記廃棄物を搬入する車両の位置情報を取得し、取得した位置情報に基づいて前記散水部を移動して前記廃棄物に集中散水させる管理部を更に備える、
請求項４に記載の廃棄物処理設備。
【請求項６】
前記散水部は、前記埋立て領域を囲む側壁に複数設けられており、
前記複数の散水部のうちの前記一の区画に対応する散水部が、前記一の区画に搬入された前記廃棄物に集中散水する、
請求項１に記載の廃棄物処理設備。
【請求項７】
前記散水部は、所定時間内に、前記一の区画に埋め立てられる前記廃棄物の体積に相当する容量を、前記一の区画に搬入された前記廃棄物に集中散水する、
請求項１から６のいずれか１項に記載の廃棄物処理設備。
【請求項８】
前記散水部は、前記一の区画に搬入された前記廃棄物に前記所定時間だけ集中散水した後に、他の区画に搬入された廃棄物に集中散水する、
請求項７に記載の廃棄物処理設備。
【請求項９】
複数の区画に分割される屋根部で覆われた埋立て領域の一の区画に、焼却灰を含む廃棄物を搬入するステップと、
前記複数の区画の各々に独立して散水可能な散水部によって、前記一の区画に搬入された前記廃棄物に集中散水して、前記廃棄物中の有害物質を溶出させるステップと、
を備える廃棄物処理方法。
【発明の詳細な説明】
【技術分野】
【０００１】
本発明は、最終処分場にて廃棄物を処理する廃棄物処理設備及び廃棄物処理方法に関する。
【背景技術】
【０００２】
廃棄物として、可燃物が焼却炉で焼却された後の焼却灰や不燃物等が、最終処分場に埋め立てられている。近年、最終処分場の廃棄物が飛散したり異臭が拡散したりすることを防止するために、埋立地を屋根で覆う被覆型処分場が利用されている。
【０００３】
この被覆型処分場において、埋立て領域に搬入された廃棄物の安定化を図るために、廃棄物中の有害物質を除去する方式が提案されている。
例えば、特許文献１には、焼却灰廃棄物を２週間以上熟成させた後に埋立て処分を行い、埋立て処分された焼却灰廃棄物に散水して有害物質を浸出水中に溶出させる技術が開示されている。
【先行技術文献】
【特許文献】
【０００４】
【特許文献１】特開２００５−２７９５２５号公報
【発明の概要】
【発明が解決しようとする課題】
【０００５】
ところで、特許文献１の技術では廃棄物を熟成させる工程があるため、早期に廃棄物中の有害物質を溶出させることができない。特に、焼却灰は固化しやすい性質を有するため、固化前に焼却灰中の有害物質（例えば、重金属）を溶出させる必要があるが、特許文献１の技術では、熟成中に焼却灰が固化する可能性が高くなり、焼却灰中の有害物質を有効に除去できない恐れがある。
【０００６】
そこで、本発明はこれらの点に鑑みてなされたものであり、被覆型処分場において、焼却灰を含む廃棄物から有害物質を簡易かつ有効に除去することを目的とする。
【課題を解決するための手段】
【０００７】
本発明の第１の態様においては、焼却灰を含む廃棄物が搬入されて埋め立てられる、複数の区画に分割される埋立て領域を覆っている屋根部と、前記複数の区画の各々に独立して散水可能な散水部と、を備え、前記散水部は、前記複数の区画のうちの一の区画に搬入された前記廃棄物に集中散水して、前記廃棄物中の有害物質を溶出させる廃棄物処理設備を提供する。
【０００８】
また、前記散水部は、前記屋根部に設けられていることとしてもよい。
また、前記散水部は、前記区画毎に複数設けられており、前記複数の散水部のうちの前記一の区画に対応する散水部が、前記一の区画に搬入された前記廃棄物に集中散水することとしてもよい。
【０００９】
また、前記散水部は、前記屋根部に移動可能に設けられており、前記一の区画に対応する位置に移動して、前記一の区画に搬入された前記廃棄物に集中散水することとしてもよい。
【００１０】
また、前記廃棄物処理設備は、前記廃棄物を搬入する車両の位置情報を取得し、取得した位置情報に基づいて前記散水部を移動して前記廃棄物に集中散水させる管理部を更に備えることとしてもよい。
【００１１】
また、前記散水部は、前記埋立て領域を囲む側壁に複数設けられており、前記複数の散水部のうちの前記一の区画に対応する散水部が、前記一の区画に搬入された前記廃棄物に集中散水することとしてもよい。
【００１２】
また、前記散水部は、所定時間内に、前記一の区画に埋め立てられる前記廃棄物の体積に相当する容量を、前記一の区画に搬入された前記廃棄物に集中散水することとしてもよい。
【００１３】
また、前記散水部は、前記一の区画に搬入された前記廃棄物に前記所定時間だけ集中散水した後に、他の区画に搬入された廃棄物に集中散水することとしてもよい。
【００１４】
本発明の第２の態様においては、複数の区画に分割される屋根部で覆われた埋立て領域の一の区画に、焼却灰を含む廃棄物を搬入するステップと、前記複数の区画の各々に独立して散水可能な散水部によって、前記一の区画に搬入された前記廃棄物に集中散水して、前記廃棄物中の有害物質を溶出させるステップと、を備える廃棄物処理方法を提供する。
【発明の効果】
【００１５】
本発明によれば、被覆型処分場において、焼却灰を含む廃棄物から有害物質を簡易かつ有効に除去できるという効果を奏する。
【図面の簡単な説明】
【００１６】
【図１】本発明の第１の実施形態に係る最終処分場１００の構成の一例を示す模式図である。
【図２】埋立地１及び散水施設２の構造の一例を示す模式図である。
【図３】埋立地１の複数の区画を説明するための模式図である。
【図４】複数の散水部２４と埋立地１の区画Ｄ１〜Ｄ８との位置関係を説明するための模式図である。
【図５】散水部２４−ａが、区画Ｄ１に堆積した廃棄物Ｗ１に散水を行っている状態を示す模式図である。
【図６】散水部２４−ｂが、区画Ｄ２に堆積した廃棄物Ｗ２に散水を行っている状態を示す模式図である。
【図７】廃棄物への散水処理の一例の流れを示すフローチャートである。
【図８】第２の実施形態に係る散水施設２の構造の一例を示す模式図である。
【図９】第３の実施形態に係る散水施設２の構造の一例を示す模式図である。
【図１０】第３の実施形態に係る散水施設２の構造の一例を示す模式図である。
【発明を実施するための形態】
【００１７】
＜第１の実施形態＞
（廃棄物最終処分場の概要）
図１を参照しながら、本発明の第１の実施形態に係る廃棄物最終処分場（以下、単に最終処分場と呼ぶ）の概要について説明する。
【００１８】
図１は、第１の実施形態に係る最終処分場１００の構成の一例を示す模式図である。
最終処分場１００は、廃棄物を最終処分する場所であり、ここでは埋立地に一般廃棄物や産業廃棄物を埋立て処分する場所である。最終処分場１００には、例えば可燃物が焼却炉で焼却された後の焼却灰や不燃物等が、トラック等により搬入されて埋め立てられる。
【００１９】
最終処分場１００は、環境問題の対策として埋立地を屋根で覆う、いわゆる被覆型処分場である。図１に示すように、最終処分場１００は、埋立地１と、散水施設２と、浸出水処理施設３と、管理センター４とを有する。なお、散水施設２、浸出水処理施設３及び管理センター４が、廃棄物処理設備として機能する。
【００２０】
図１では、説明の便宜上、一つの埋立地１に対して散水施設２が設置されているが、他の埋立地１にも散水施設２がそれぞれ設置される。また、図１では、埋立地１が複数示されているが、埋立地１は一つであってもよい。
【００２１】
埋立地１は、地面から凹んだ形状となっており、トラックで搬入された廃棄物を埋め立てる領域である。埋立地１は、複数の区画に分割されており、各区画に廃棄物が搬入されて埋め立てられる。第１の実施形態では、複数の区画に廃棄物を均等に搬入するのではなく、一の区画に所定量の廃棄物が搬入された後に、他の区画に廃棄物が搬入されるようになっている。なお、各区画に搬入された廃棄物は、機械によって均される。
【００２２】
埋立地１に搬入される廃棄物には、焼却灰が多く含まれている。焼却灰中には、有害物質である重金属等が含まれている。埋立地１を再利用等するためには、焼却灰中の重金属を除去することが望ましい。
【００２３】
散水施設２は、廃棄物が飛散したり異臭が拡散したりすることを防止すると共に、廃棄物中の有害物質を除去するための施設である。詳細は後述するが、散水施設２は、焼却灰中の有害物質を適切に除去するために、埋立地１の複数の区画のうちの廃棄物が搬入された一の区画に集中的に散水を行っている。
【００２４】
焼却灰は、表面が時間の経過と共に固まる性質を有する。また、焼却灰に少量の水を散水した場合には、表面が固まりやすい。そして、焼却灰の表面が固まった場合には、内部に水が浸透し難いため、焼却灰中の有害物質（重金属）を溶出することが困難となる。
これに対して、散水施設２は、廃棄物が搬入された直後に廃棄物に集中的に散水することで、廃棄物中の焼却灰の表面が固まる前に、焼却灰中の有害物質を溶出させている。これにより、従来に比べて短時間のうちに焼却灰中の有害物質を適切に除去することが可能となる。
【００２５】
浸出水処理施設３は、埋立地１から流入した浸出水を処理する。浸出水は、散水施設２において廃棄物から浸出した水である。浸出水処理施設３は、浸出水に含まれる重金属等を除去する処理を行う。浸出水処理施設３と埋立地１の間には、浸出水が埋立地１から浸出水処理施設３に流れてくる流路５が形成されている。
【００２６】
管理センター４は、埋立地１への廃棄物の搬入を管理する。例えば、管理センター４は、埋立地１の廃棄物を搬入する区画を管理する。また、管理センター４は、散水施設２における廃棄物への散水を管理する。また、管理センター４は、浸出水処理施設３における浸出水処理を管理する。
【００２７】
（埋立地及び散水施設の詳細構造）
図２〜図６を参照しながら、第１の実施形態に係る埋立地１及び散水施設２の詳細構造について説明する。
【００２８】
図２は、埋立地１及び散水施設２の構造の一例を示す模式図である。図３は、埋立地１の複数の区画を説明するための模式図である。なお、図２及び図３は、埋立地１に廃棄物が搬入される前の状態を示している。
【００２９】
埋立地１は、図２に示すように、コンクリート部１０と、集水部１２とを有する。
コンクリート部１０は、埋立地１の凹部を形成している。このコンクリート部１０内に廃棄物が搬入されて埋め立てられる。コンクリート部１０を設けることで、例えば廃棄物からの浸出水が地盤内に流入することを抑制できる。
【００３０】
埋立地１は、複数の区画に分割されている。ここでは、図３に示すように、埋立地１が、８つの区画Ｄ１〜Ｄ８に分割されているものとする。本実施形態では、各区画に廃棄物が均等に搬入されるのではなく、一の区画に所定量（例えば埋立て量に相当する量）だけ廃棄物が搬入された後に、他の区画へ廃棄物が搬入される。例えば、区画Ｄ１への廃棄物の搬入が完了した後に、区画Ｄ２への廃棄物の搬入が行われる。
【００３１】
図２に戻り、集水部１２は、コンクリート部１０の底部に設けられており、廃棄物からの浸出水を集める部分である。集水部１２に集められた浸出水は、流路５（図１参照）を介して浸出水処理施設３へ送られる。
【００３２】
なお、図２には示していないが、コンクリート部１０上に、浸出水の通過を遮断する遮水シートが設けられていてもよい。遮水シートが設けることで、廃棄物からの浸出水がコンクリート部１０を通過して地盤内に流入することを有効に抑制できる。
【００３３】
散水施設２は、埋立地１を被覆するように設置されている。散水施設２は、図２に示すように、壁部２０と、屋根部２２と、複数の散水部２４（図２に示す散水部２４−ａ〜２４−ｄ等）とを有する。
【００３４】
壁部２０は、埋立地１の周囲を覆うように地面から立設された横壁である。すなわち、壁部２０が、埋立地１から見て四方にそれぞれ設けられている。
【００３５】
屋根部２２は、例えば鉄筋構造から成り、壁部２０と連結されている。屋根部２２は、埋立地１の真上に位置して埋立地１を覆っている。屋根部２２は、埋立地１の廃棄物が飛散したり異臭が拡散したりすることを防止する。また、屋根部２２は、雨水が廃棄物に降ることを防止できる。
【００３６】
散水部２４は、埋立地１の区画に搬入されて堆積した廃棄物に散水を行う。散水部２４は、水を噴射するノズルを有する。散水部２４は、屋根部２２に複数設けられている。複数の散水部２４は、それぞれ埋立地１の８つの区画Ｄ１〜Ｄ８に対応するように設けられている。
【００３７】
図４は、複数の散水部２４と埋立地１の区画Ｄ１〜Ｄ８との位置関係を説明するための模式図である。ここでは、８つの散水部２４−ａ〜２４−ｈが、区画Ｄ１〜Ｄ８に対応して設けられている。８つの散水部２４−ａ〜２４−ｈは、対応する一つの区画に散水を行う。例えば、散水部２４−ａは、区画Ｄ１全体に散水を行う。すなわち、散水部２４−ａは、区画Ｄ１上に堆積した廃棄物に散水を行う。
【００３８】
第１の実施形態では、複数の散水部２４は、対応する８つの区画の各々に独立して散水可能である。これにより、８つの区画のうちの所望の区画を選択して、前記区画に堆積した廃棄物に散水を行うことができる。
【００３９】
図５は、散水部２４−ａが、区画Ｄ１に堆積した廃棄物Ｗ１に散水を行っている状態を示す模式図である。図６は、散水部２４−ｂが、区画Ｄ２に堆積した廃棄物Ｗ２に散水を行っている状態を示す模式図である。区画Ｄ１に廃棄物Ｗ１が搬入されて堆積している場合には、図５に示すように、散水部２４−ａが散水を行い、散水部２４−ｂ〜２４−ｈは散水を行わない。同様に、区画Ｄ２に廃棄物Ｗ２が搬入されて堆積している場合には、図６に示すように、散水部２４−ｂが散水を行い、散水部２４−ａ及び散水部２４−ｃ〜２４−ｈは散水を行わない。このように、廃棄物が堆積していない区画に散水を行わないことで、水の無駄な消費を抑制できる。
【００４０】
また、第１の実施形態では、複数の散水部２４は、対応する区画に搬入されて堆積した廃棄物に集中散水して、廃棄物中の有害物質を溶出させる。例えば、区画Ｄ１に廃棄物Ｗ１が搬入されて堆積した場合には、８つの散水部２４−ａ〜２４−ｈのうちの区画Ｄ１に対応する散水部２４−ａが、区画Ｄ１に堆積した廃棄物に集中散水する。このように集中散水することで、焼却灰の表面が固まる前に焼却灰中の有害物質を溶出させることができる。
【００４１】
散水部２４は、短時間に大量の水を散水する。具体的には、散水部２４は、所定時間（例えば３０分）、一の区画に埋め立てられる廃棄物の体積に相当する容量を、一の区画に搬入された廃棄物に集中散水する。このように短時間に大量の水を散水することで、焼却灰中の有害物質を効果的に溶出させることができる。
【００４２】
また、散水部２４は、所定時刻に散水を繰り返す。例えば、散水部２４は、１ヶ月間、朝、昼、夕方にそれぞれ１回集中散水する。これにより、焼却灰の表面が固まることを効果的に防止できると共に、焼却灰中の有害物質の溶出を促進させることができる。
【００４３】
埋立地１の複数の区画に廃棄物が堆積している場合にも、複数の散水部２４は、区画毎に独立に散水を行う。例えば、散水部２４−ａが区画Ｄ１に堆積した廃棄物に所定時間だけ集中散水した後に、散水部２４−ｂが区画Ｄ２に堆積した廃棄物に所定時間だけ集中散水する。これにより、一度に散水する水量を抑制しつつ、複数の区画にそれぞれ堆積した焼却灰中の有害物質を効果的に溶出させることができる。
【００４４】
なお、上記では、一つの散水部２４が一つの区画に散水を行うこととしたが、これに限定されず、例えば二つの散水部２４が一つの区画に散水を行うこととしてもよい。また、上記では、散水部２４−ａ〜２４−ｈが、それぞれ対応する区画Ｄ１〜Ｄ８の中央に位置することとしたが、これに限定されず、中央以外の場所に位置してもよい。
【００４５】
（廃棄物への散水処理の流れ）
図７を参照しながら、埋立地１の区画に堆積した廃棄物への散水処理の流れについて説明する。散水処理は、管理センター４（図１）によって管理される。
【００４６】
図７は、廃棄物への散水処理の一例の流れを示すフローチャートである。図７のフローチャートは、埋立地１の一の区画（ここでは、図３に示す区画Ｄ１とする）に、焼却灰を含む廃棄物がトラックにより搬入されるところから開始される（ステップＳ１０２）。ここでは、区画Ｄ１への廃棄物の搬送中に、他の区画への廃棄物の搬送は行われない。
【００４７】
次に、区画Ｄ１に搬入されて堆積した廃棄物が、所定量に達すると、機械等によって均される（ステップＳ１０４）。次に、区画Ｄ１に散水を行うタイミングに達すると（ステップＳ１０６：Ｙｅｓ）、散水部２４−ａ〜２４−ｈのうちの散水部２４−ａが、区画Ｄ１に集中散水を開始する（ステップＳ１０８）。これにより、区画Ｄ１に堆積した廃棄物中の有害物質が溶出される。
【００４８】
散水を開始して所定時間が経過すると、散水部２４−ａによる散水が停止する（ステップＳ１１０）。所定時間に散水された水量は、区画Ｄ１に堆積される廃棄物の体積に相当する量である。散水部２４−ａが廃棄物に散水した水は、廃棄物の有害物質を含む浸出水として浸出し、集水部１２を介して浸出水処理施設３に送られる。
なお、散水部２４−ａが散水を行っている際に、散水部２４−ｂ〜２４−ｈは、散水を行わない。
【００４９】
次に、区画Ｄ１への廃棄物への搬入から所定期間が経過したか否かが判定される（ステップＳ１１２）。廃棄物中の有害物質（焼却灰中の重金属等）を適切に除去するためには、所定期間散水を行なう必要がある。
そこで、ステップＳ１１２で所定期間が経過していないと判定された場合には（Ｎｏ）、ステップＳ１０６〜Ｓ１１０の処理を繰り返す。すなわち、散水を行うタイミングになる毎に、散水部２４−ａは区画Ｄ１への散水を繰り返す。
【００５０】
一方で、ステップＳ１１２で所定期間が経過していると判定された場合には（Ｙｅｓ）、散水部２４−ａによる区画Ｄ１への散水を終了する。区画Ｄ１以外の他の区画に廃棄物が搬入された際にも、ステップＳ１０２〜Ｓ１１２の処理が行われる。
【００５１】
なお、上記では、区画Ｄ１に堆積した廃棄物が所定量に達してから散水部２４−ａによる散水が行われることとしたが、これに限定されない。区画Ｄ１に体積した廃棄物が所定量に達する前から、散水部２４−ａによる散水が開始されてもよい。
【００５２】
（第１の実施形態における効果）
第１の実施形態においては、埋立地１を覆う屋根部２２に設けられた複数の散水部２４が、それぞれ独立に８つの区画Ｄ１〜Ｄ８に散水を行うことが可能である。そして、散水部２４は、廃棄物が搬入されてきた一の区画に集中散水を行う。
【００５３】
かかる場合には、一の区画に堆積した廃棄物に集中して散水を行うことで、廃棄物中の有害物質を溶出させることができる。特に、表面が固まりやすい焼却灰中に含まれる重金属等を溶出させることができる。
また、集中散水することで、廃棄物中の有害物質を除去するまでの期間を短縮することができる。さらに、複数の区画に散水する場合に比べて、少ない量の水を散水することになり、水の消費量を抑制できる。
【００５４】
＜第２の実施形態＞
図８を参照しながら、本発明の第２の実施形態に係る散水施設２の構造について説明する。
【００５５】
第１の実施形態では複数の散水部２４が屋根部２２に設けられているのに対して、第２の実施形態では散水部が壁部２０に設けられている点で、異なる。なお、それ以外の構成は、第１の実施形態と同様であるので、詳細な説明は省略する。
【００５６】
図８は、第２の実施形態に係る散水施設２の構造の一例を示す模式図である。
第２の実施形態では、埋立地１を囲む側壁である壁部２０に、散水部２６が設けられている。具体的には、図８に示すように壁部２０に散水部２６−ａ、２６−ｂが設けられている。散水部２６−ａ、２６−ｂは、例えばスプリンクラーであり、散水可能な複数の区画中の一つの区画に散水を行う。
【００５７】
例えば、散水部２６−ａは、区画Ｄ１（図３参照）に焼却灰を含む廃棄物Ｗ１が搬入されると、図８に示すように区画Ｄ１に集中散水を行う。すなわち、散水部２６−ａは、短時間に大量の水を散水する。そして、第２の実施形態でも、散水部２６−ａによる区画Ｄ１への散水中に、他の区画への散水は行われない。また、散水部２６−ａは、第１の実施形態と同様に所定時刻に散水を繰り返す。これにより、区画Ｄ１に堆積した廃棄物Ｗ１中の有害物質を溶出させることができる。特に、焼却灰中の重金属等を適切に溶出させることができる。
【００５８】
同様に、散水部２６−ａは、区画Ｄ２（図３参照）に廃棄物が搬入されると、区画Ｄ２に集中散水を行う。この際、他の区画への散水は行われない。
なお、図８は、二つの壁部２０に設けられた散水部２６−ａ、２６−ｂを示しているが、埋立地１を囲む他の壁部にも散水部２６が設けられてもよい。
【００５９】
第２の実施形態によれば、複数の区画に散水可能な散水部２６が、廃棄物が搬入された一の区画に集中散水を行うことで、廃棄物中の有害物質を適切に除去できると共に、散水部２６の設置個数を抑制できる。
【００６０】
＜第３の実施形態＞
図９及び図１０を参照しながら、第３の実施形態に係る散水施設２の構造について説明する。
【００６１】
第１の実施形態では複数の散水部２４が屋根部２２に固定されているのに対して、第３の実施形態では散水部が屋根部２２に移動可能に設けられている点で、異なる。それ以外の構成は、第１の実施形態と同様であるので、詳細な説明は省略する。
【００６２】
図９及び図１０は、第３の実施形態に係る散水施設２の構造の一例を示す模式図である。第３の実施形態の散水施設２は、図９及び図１０に示すように、Ｘ方向に移動可能な散水部２８と、散水部２８を移動させるガイド部２９とを有する。
【００６３】
ガイド部２９は、屋根部２２に設けられている。
散水部２８は、ガイド部２９に沿って移動して、複数の区画のうちのいずれかの区画上に位置する。このため、散水部２８は、一台で複数の区画中の一の区画に集中散水することができる。
【００６４】
例えば、散水部２８は、区画Ｄ１（図３参照）に焼却灰を含む廃棄物Ｗ１が搬入されると、区画Ｄ１上に位置して、図９に示すように区画Ｄ１に集中散水を行う。これにより、区画Ｄ１に堆積した廃棄物Ｗ１中の有害物質が溶出される。
同様に、散水部２８は、区画Ｄ２（図３参照）に廃棄物Ｗ２が搬入されると、区画Ｄ２上に移動して、図１０に示すように区画Ｄ２に集中散水を行う。
【００６５】
ところで、管理センター４は、トラック等の車両が廃棄物を埋立地１に搬入する際のトラックの位置情報を取得し、取得した位置情報に基づいて散水部２８を移動させて集出散水させてもよい。かかる場合には、トラックによる廃棄物の搬入に合わせて散水部２８を移動させることで、迅速に廃棄物に散水を行うことができる。
【００６６】
なお、図９及び図１０では、散水部２８がＸ方向に移動することとしたが、これに限定されず、Ｘ方向と直交する奥行き方向にも移動してもよい。かかる場合には、一つの散水部２８が、８つの区画Ｄ１〜Ｄ８に対して独立して散水を行うことが可能となる。
【００６７】
また、上記では、散水部２８が屋根部２２に移動可能に設けられていることとしたが、これに限定されない。例えば、散水部２８が、壁部２０に移動可能に設けられていてもよい。
【００６８】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００６９】
１    埋立地
２    散水施設
３    浸出水処理施設
４    管理センター
２０    壁部
２２    屋根部
２４、２６、２８    散水部
２９    ガイド部
１００    最終処分場
Ｄ１〜Ｄ８    区画
【図１】
2016159273.tif 000003
【図２】
2016159273.tif 000004
【図３】
2016159273.tif 000005
【図４】
2016159273.tif 000006
【図５】
2016159273.tif 000007
【図６】
2016159273.tif 000008
【図７】
2016159273.tif 000009
【図８】
2016159273.tif 000010
【図９】
2016159273.tif 000011
【図１０】
2016159273.tif 000012